(57)【特許請求の範囲】
【請求項１】
内壁面にディンプルを型付けする多数の突起を具えた球状キャビティを形成し、このキャビティのほぼ赤道に対応する位置にパーティング面を有する上型及び下型よりなり、これら上型及び下型におけるキャビティの各極を中心として所定半径で描いたサークル上に、間隔を置き上記パーティング面と直交する向きにキャビティ内へ進退可能に延びる複数のコアサポートピンをそれぞれ具備した金型において、上記サポートピンは、その中心軸と直交する方向の断面が、キャビティの両極を結ぶ軸線に向かう方向に短軸を有する楕円形状を呈し、且つキャビティ壁面位置まで後退したとき、その先端部がキャビティ壁面レベルで円形をなし、その位置からキャビティ中心方向へ隆起したディンプル型付け突起を形成していることを特徴とするゴルフボール金型。
【請求項２】
上記サポートピンは、キャビティの両極を通る軸を中心とする半径６〜１０ｍｍのサークル上に３〜５本配置される請求項１記載のゴルフボール金型。
【請求項３】
上記請求項１又は２に記載のゴルフボール金型を用いて成形したことを特徴とするゴルフボール。
【発明の詳細な説明】
【０００１】
【発明が属する技術分野】
この発明はシンメトリ−性に優れるゴルフボ−ルを成形する金型、及びこの金型を用いて成形したにボ−ルに関する。
【０００２】
【従来の技術】
ゴルフボ−ルは、糸ゴムを球状に巻き付けて形成した芯をバラタカッバ−で被覆した糸ゴムタイプと、ゴム製の球状芯を樹脂カバ−で被覆したソリッドタイプが一般的であるが、ゴルファ−にはソリッドタイプの方を、圧倒的好評裏に使用されている。
【０００３】
ところで、ソリッドゴルフボ−ルは、どのようにして成形されるかというと、金型断面図として示す図４を用い以下に説明する。
図４において金型1 は、パ−ティング面P 位置で上下に分割される上型2 と下型3 よりなり、内部に球状のキャビティ4 を形成している。このキャビティ4 は内壁面5 に、ディンプルを型付けるための、平面視円形の突起を多数具備する（図示せず）。そして上記パ−ティング面P は、球状キャビティ4 の赤道対応位置に設けられる。図においてキャビティ4 には中心部に弾性コア12 を収容し、複数のサポ−トピン6 によって上下から支持されている。各サポ−トピンの先端部は、キャビティ壁面5 に設けられたディンプル型付け用の突起が形成されている。
【０００４】
符号7 はキャビティ4 の周囲に沿って設けられたランナ−で、これに続く複数（４〜１２箇所）のゲイトを通じてカバ−材としての熱可塑性樹脂が、コア12 と内壁面5 との間のスペ−スに圧入される。そしてカバ−材が硬化する直前にサポ−トピン6 がキャビティ内壁面5 のレベルまで後退し、その後冷却によりカバ−材の成形は終了する訳であるが、その際サポ−トピン6 の位置におけるディンプルは、それらの先端部によって型付けされる。なお符号9 は、成形時においてキャビティ内に存在する、または発生するガスを排出するためのガス抜き手段である。
【０００５】
ところで、サポ−トピンは金型のパ−ティング面P と直行し、且つキャビイの両極を結ぶ線j を中心とする、半径７〜９mmの円周上に複数本、通常３〜４本配置されている。サッポ−トピンがこのように金型に対して配置されると、図５に示す、サポ−トピン6 の軸線方向と直行する方向の断面は、キャビティの両極を結ぶ中心軸j の方向を向いた直径x と、これと直行する方向の直径y とは等しい円形であるが、キャビティ内に現れる壁面の法線方向断面は、図６に示すように、上記x 、y に対応する直径x' 、y' は、x' ＞y' なる楕円形状を呈することとなる。
【０００６】
このようなサポ−トピン先端部の楕円形状突起によって型付けされたディンプルは、その他の区域全体に形成された円形ディンプルとは異なる、楕円形状ディンプルであることは云うまでもない。
このような円形、楕円形混淆ディンプルを具備したゴルフボ−ルは、外観上見劣りするだけではなく、打球の回転方向の違いによって、飛びのシンメトリ−性が損なわれることとなる。
【０００７】
【発明が解決しようとする課題】
本発明は上記問題点に鑑みなされたもので、サポ−トピンの位置においても、その他の部分と同一ディンプルを型付けし得るゴルフボ−ル金型、及びこの金型によって成形されたゴルフボ−ルを提供することを目的とする。
【０００８】
【課題を解決するための手段】
本発明は、内壁面にディンプルを型付けする多数の突起を具えた球状キャビティを形成し、このキャビティのほぼ赤道に対応する位置にパーティング面を有する上型及び下型よりなり、これら上型及び下型におけるキャビティの各極を中心として所定半径で描いたサークル上に、間隔を置き上記パーティング面と直交する向きにキャビティ内へ進退可能に延びる複数のコアサポートピンをそれぞれ具備した金型において、上記サポートピンは、その中心軸と直交する方向の断面が、キャビティの両極を結ぶ軸線に向かう方向に短軸を有する楕円形状を呈し、且つキャビティ壁面位置まで後退したとき、その先端部がキャビティ壁面レベルで円形をなし、その位置からキャビティ中心方向へ隆起したディンプル型付け突起を形成していることを特徴とするゴルフボール金型であり、またこの金型を用いて成形したことを特徴とするゴルフボールである。
【０００９】
【発明の実施の形態】
上記金型のサポートピンは、その中心軸と直交する方向の断面において、キャビティの両極を結ぶ軸線に向かう方向に短軸を有する楕円形状を呈する。キャビティの各極を中心とするサポートピンの位置は、キャビティの両極を通る軸を中心とする半径６〜１０mmで描いたサークル上に３〜５本、等しく間隔を置いて配置することが好ましい。上記サークル上に配置されるサポートピンの先端部突起の大きさは、総て同一であることが好ましい。しかし突起の大きさが異なる複数対のものを、同じ大きさのものが１８０°異なる位置にくるように配置することができ、また目的を損なわない限り、それぞれ突起大きさが異なるものを組み合わせて用いることも可能である。
【００１０】
【実施例】
以下図面に基づき説明する。
図１は本発明における１実施例を示すゴルフボ−ル金型のピンの位置を中心とする部分断面図であり、図２は図１におけるピン部分のＡ−Ａ断面図、そして図３は同じくＢ−Ｂ断面図である。
本発明において、図１〜３に示す部分以外は、図４に基づいて述べた従来構造の金型等を使用することができる。
図１は、下型3 の左側部分を示すにとどめているが、左右対称であり、上型も実質上同一構造である。
【００１１】
図１において、コアサポートピン６は、キャビティの両極１１を通る軸ｊを中心とする、半径ｒで描いたサークル上に、１２０°間隔を置き３本、パーティング面Ｐに対し直交する方向に配置されている。サポートピンの先端部はディンプルを型付けするための突起１３を形成している。サポートピン６のパーティング面Ｐと平行なＡ−Ａ断面は、キャビティ中心軸ｊ方向に短径ｘ、これと直交する長径ｙによって形成される楕円状を呈している。サポートピンを収容したピン孔１５の断面も、同様に楕円状を呈していることは勿論である。
【００１２】
一方、サポ−トピン6 が図１に示すように後退した位置にあるとき、キャビティ内壁面5 の法線方向断面、即ちキャビティ内壁面（ボ−ルの陸部を成形する）の円弧と交わる、ピン突起13 の基部周縁（ボ−ル上の陸部にディンプルの周縁部が交わる位置に対応）14 、14 を通るＢ〜Ｂ断面（図３）において、図２上の短、長径x 、y に対応する直径x' 、 y' は実質上等しい。従ってキャビティ中心C の方向から見た突起13 は、平面視円形を呈する訳である。
本発明において、目的を損なわない限りコアサポ−トピン6 は多角形断面のものを使用することができる。その場合は、多角形の頂点を結ぶ輪郭のx' とy' が実質上等しいことが必要である。
【００１３】
本発明において、図３に示すサポ−トピンの先端部突起13の直径x' または y'は、その他の内壁面5 に具備する突起の直径と同様２〜５mmの範囲で適用することができる。
このようにしてなる金型を用いて成形したゴルフボ−ルは、コアサポ−トピンの先端部で型付けされたディンプルが、その他のキャビティ内壁面上に具備する突起で型付けされたディンプル同一であるため、成形されたゴルフボ−ルの均一性が、著しく向上するのである。
【００１４】
【発明の効果】
このように、本発明になるゴルフボール金型は、ディンプル成形において均一性に優れたゴルフボールを成形することができ、従ってこの金型を用いて成形したゴルフボールは、外観が改善されるばかりではなく、打球の回転方向の如何にかかわらず、飛びのシンメトリー性が有利に向上するのである。
【図面の簡単な説明】
【図１】本発明における一実施例を示すゴルフボ−ル金型の部分断面図。
【図２】図１におけるコアサポ−トピンのＡ−Ａ断面図。
【図３】図１におけるコアサポ−トピンのＢ−Ｂ断面図。
【図４】従来のゴルフボ−ル金型の断面図。
【図５】図４におけるコアサポ−トピン先端部のピン軸と直交する方向の断面図。
【図６】図４におけるコアサポ−トピン先端部のキャビティ内壁面法線方向断面図。
【符号の説明】
1  金型
4  キャビティ
5  キャビティ内壁面
6  コアサポ−トピン
10 北極
11 南極
13 突起
P  パ−ティング面
【図１】
0004120732.tif 000002
【図２】
0004120732.tif 000003
【図３】
0004120732.tif 000004
【図４】
0004120732.tif 000005
【図５】
0004120732.tif 000006
【図６】
0004120732.tif 000007